(57)【要約】【課題】  電話番号案内サービスを利用して電話帳に電話番号登録する際のユーザの手間を軽減できるようにする。【解決手段】  変調／復調回路部５は、電話番号案内センタからの受信信号を復調した音声信号をＣＰＵ６に出力する。ＣＰＵ６は、変調／復調回路部５からの音声信号を音声認識して電話番号を認識する。そして、ＣＰＵ６は、認識した電話番号を電話帳９に登録する。また、変調／復調回路部５は、時報サービスセンタからの受信信号を復調した音声信号をＣＰＵ６に出力する。ＣＰＵ６は、変調／復調回路部５からの音声信号を音声認識して時報情報を認識する。そして、ＣＰＵ６は、認識した時報情報にもとづいて、時計７の時刻を合わせる。【選択図】  図１
2005236727.tif 000002
【特許請求の範囲】
【請求項１】
電話帳を有する携帯電話機であって、
電話番号案内サービスセンタに発呼する発呼手段と、
前記電話番号案内サービスセンタから受信した音声信号を音声認識して電話番号を認識する音声認識手段と、
前記音声認識手段が認識した電話番号を前記電話帳に登録する電話帳登録手段と
を備えたことを特徴とする携帯電話機。
【請求項２】
時計と、
前記時計の時刻を合わせる時刻合わせ手段とを備え、
発呼手段は、時報サービスセンタに発呼し、
音声認識手段は、前記時報サービスセンタから受信した音声信号を音声認識して、前記時報サービスセンタが報ずる時刻を示す時報情報を認識し、
前記時刻合わせ手段は、前記音声認識手段が認識した時報情報を用いて前記時計の時刻を合わせる
請求項１記載の携帯電話機。
【請求項３】
電話番号案内サービスセンタの電話番号を予め記憶する番号記憶手段を備え、
発呼手段は、前記番号記憶手段が記憶する電話番号を用いて、前記電話番号案内サービスセンタに発呼する
請求項１記載の携帯電話機。
【請求項４】
数字を含む単語辞書を備え、
音声認識手段は、前記単語辞書に含まれる数字を用いて音声認識を行うことによって、電話番号を認識する
請求項１または請求項３記載の携帯電話機。
【請求項５】
時刻合わせをする時間を設定する時間設定手段と、
前記時間設定手段が設定した時間になったか否かを判断する時間判断手段とを備え、
発呼手段は、前記時間判断手段が設定時間になったと判断した場合に、時報サービスセンタに発呼する
請求項２記載の携帯電話機。
【請求項６】
時報サービスセンタの電話番号を予め記憶する番号記憶手段を備え、
発呼手段は、前記番号記憶手段が記憶する電話番号を用いて、前記時報サービスセンタに発呼する
請求項２または請求項５記載の携帯電話機。
【請求項７】
数字、および時刻表記に用いられる単語を含む単語辞書を備え、
音声認識手段は、前記単語辞書に含まれる数字および単語を用いて音声認識を行うことによって、時報情報を認識する
請求項２、請求項５または請求項６記載の携帯電話機。
【発明の詳細な説明】
【技術分野】
【０００１】
本発明は、音声認識を用いて電話帳登録および時刻合わせを行う携帯電話機に関する。
【背景技術】
【０００２】
時計機能付き携帯電話機において、時報サービス（１１７番）を利用して手動により時刻合わせをすると、時刻を聞いてから時刻合わせをするので操作に手間がかかる。また、時刻を聞いてから時間設定するまでの時間差があるので正確な時間設定ができない。
【０００３】
特許文献１には、時報サービス局に自動発呼して音声認識によって時刻情報を取得し、携帯電話機の時刻合わせを行うとともに、携帯電話機に接続されたサブシステムの時刻を修正する時刻合わせ装置が記載されている。また、特許文献２には、時報サービスの音声を音声認識して時刻情報を取得し時刻設定をする携帯電話機の時刻設定方法が記載されている。
【０００４】
【特許文献１】特開２００１−２１６７５号公報（段落００１７−００２２、図１，図２）
【特許文献２】特開２００１−７７８８８号公報（段落００１４−００２１、図１，図２）
【発明の開示】
【発明が解決しようとする課題】
【０００５】
特許文献１に記載された時刻合わせ装置や、特許文献２に記載された時刻設定方法によれば、時報サービスの音声を音声認識して自動的に時刻合わせをするので、携帯電話機の時刻を合わせる際のユーザの手間を軽減することができる。しかし、携帯電話機を使用する際のユーザの手間を軽減するという要請は、時刻合わせに止まらない。例えば、電話帳に電話番号登録する際のユーザの手間を軽減することも重要である。また、特許文献２に記載された時刻設定方法では、ユーザが時刻設定モードをオンにする操作をしたときに自動的に時刻を設定するので、ユーザが操作を忘れた場合には携帯電話機が常に正確な時間を表示するとは限らない。
【０００６】
そこで、本発明は、電話帳に電話番号登録する際のユーザの手間を軽減できる携帯電話機を提供することを目的とする。また、本発明は、時報サービスを利用して時刻合わせする際のユーザの手間を軽減することができ、正確な時間表示を維持できる携帯電話機を提供することを目的とする。
【課題を解決するための手段】
【０００７】
本発明による携帯電話機は、電話帳を有する携帯電話機であって、電話番号案内サービスセンタに発呼する発呼手段と、電話番号案内サービスセンタから受信した音声信号を音声認識して電話番号を認識する音声認識手段と、音声認識手段が認識した電話番号を電話帳に登録する電話帳登録手段とを備えたことを特徴とする。
【０００８】
また、携帯電話機は、時計と、時計の時刻を合わせる時刻合わせ手段とを備え、発呼手段は、時報サービスセンタに発呼し、音声認識手段は、時報サービスセンタから受信した音声信号を音声認識して、時報サービスセンタが報ずる時刻を示す時報情報を認識し、時刻合わせ手段は、音声認識手段が認識した時報情報を用いて時計の時刻を合わせるものであってもよい。そのような構成によれば、時報サービスセンタから受信した音声信号を音声認識して時報情報を自動認識し、自動的に時計の時刻合わせをすることができる。従って、時報サービスを利用して時刻合わせする際にユーザの手間を軽減することができる。
【０００９】
また、携帯電話機は、電話番号案内サービスセンタの電話番号を予め記憶する番号記憶手段を備え、発呼手段は、番号記憶手段が記憶する電話番号を用いて、電話番号案内サービスセンタに発呼するものであってもよい。
【００１０】
また、携帯電話機は、数字を含む単語辞書を備え、音声認識手段は、単語辞書に含まれる数字を用いて音声認識を行うことによって、電話番号を認識するものであってもよい。
【００１１】
また、携帯電話機は、時刻合わせをする時間を設定する時間設定手段と、時間設定手段が設定した時間になったか否かを判断する時間判断手段とを備え、発呼手段は、時間判断手段が設定時間になったと判断した場合に、時報サービスセンタに発呼するものであってもよい。そのような構成によれば、時刻合わせする時間を設定すれば定期的に時報サービスセンタに自動接続して時刻合わせするので、正確な時間表示を維持することができる。
【００１２】
また、携帯電話機は、時報サービスセンタの電話番号を予め記憶する番号記憶手段を備え、発呼手段は、番号記憶手段が記憶する電話番号を用いて、時報サービスセンタに発呼するものであってもよい。
【００１３】
また、携帯電話機は、数字、および時刻表記に用いられる単語を含む単語辞書を備え、音声認識手段は、単語辞書に含まれる数字および単語を用いて音声認識を行うことによって、時報情報を認識するものであってもよい。
【発明の効果】
【００１４】
本発明によれば、電話番号案内センタから受信した音声信号を音声認識して電話番号を自動認識し、電話番号を電話帳に自動登録する。従って、電話番号案内サービスを利用して電話帳に電話番号登録する際のユーザの手間を軽減することができる。
【発明を実施するための最良の形態】
【００１５】
以下、本発明の実施の形態を図面を参照して説明する。図１は、本発明による携帯電話機の構成の一例を示すブロック図である。図１に示すように、携帯電話機は、アンテナ部１、無線部２、制御回路部３、キー入力部４および表示部８を含む。また、制御回路部３は、変調／復調回路部５、ＣＰＵ６、時計７および電話帳９を含む。
【００１６】
変調／復調回路部５は、無線部２からの受信信号を復調してＣＰＵ６に出力する。また、変調／復調回路部５は、ＣＰＵ６からの信号を変調して無線部２に出力する。時計７は、時刻信号を出力し、表示部８に時刻を表示させる。
【００１７】
ＣＰＵ６は、携帯電話機が搭載するプログラムに従って、発着信および電話帳登録などの各処理を実行する。また、ＣＰＵ６は、携帯電話機の記憶部（図示せず）が予め記憶する電話番号を用いて、電話番号案内サービスセンタまたは時報サービスセンタに発呼する機能を備える。また、ＣＰＵ６は、携帯電話機が搭載する音声認識プログラムに従って、変調／復調回路部５からの音声信号にもとづいて音声認識する機能を備える。また、ＣＰＵ６は、キー入力部４からの入力または音声認識結果にもとづいて、時計７の時刻合わせをする機能を備える。
【００１８】
また、携帯電話機の記憶部は、電話帳９を記憶している。電話帳９は、各登録電話番号を、登録名およびフリガナと対応付けて含む。
【００１９】
本実施の形態において、発呼手段、音声認識手段、電話帳登録手段、時刻合わせ手段、時間設定手段および時間判断手段は、ＣＰＵ６によって実現される。番号記憶手段は、携帯電話機の記憶部によって実現される。
【００２０】
次に、電話番号案内サービスを利用して電話帳登録する動作を説明する。図２は、電話番号案内サービスの音声を音声認識して電話帳登録する処理の一例を示す流れ図である。ユーザが、待ち受け状態において、キー入力部４から、電話帳への自動登録の指示を入力すると（ステップＳ１０）、ＣＰＵ６は、記憶部から電話番号案内サービスセンタの番号（１０４番）を読み出して、電話番号案内サービスセンタに発呼する（ステップＳ１１）。
【００２１】
電話番号案内サービスセンタに接続されると、ユーザは、オペレータに、電話番号を知りたい施設の施設名や住所を通知する。すると、電話番号サービスセンタからユーザが知りたい施設の電話番号が案内される。例えば、施設名および住所を通知すると、電話番号サービスセンタのオペレータによって、ユーザが通知した施設の電話番号の案内テープが流される。電話番号案内サービスセンタに接続されている間、変調／復調回路部５は、無線部２からの受信信号を復調した音声信号をＣＰＵ６に出力する。ＣＰＵ６は、変調／復調回路部５からの音声信号を音声認識し、案内された電話番号を認識する（ステップＳ１２）。
【００２２】
例えば、携帯電話機の記憶部は、数字を含む単語辞書を予め記憶している。ＣＰＵ６は、記憶部が記憶する単語辞書に含まれる数字を用いて音声認識をすることによって、電話番号を認識する。なお、ここでは、ＣＰＵ６が音声認識処理を実行することを想定するが、例えば変調／復調回路部５に含まれるディジタルシグナルプロセッサが音声認識処理を実行するようにしてもよい。
【００２３】
電話番号を自動認識すると、ＣＰＵ６は、認識した電話番号を電話帳９に登録する（ステップＳ１３）。電話番号を登録すると、ＣＰＵ６は、電話帳編集をするか否かの指示画面を表示部８に表示させる。ユーザは、登録された電話番号について電話帳編集する場合には、キー入力部４から電話帳を編集する旨の指示を入力する。
【００２４】
ＣＰＵ６は、キー入力部４から電話帳を編集する旨の指示が入力されたか否か判断する（ステップＳ１４）。電話帳を編集する旨の指示が入力されたと判断した場合には、ＣＰＵ６は、キー入力部４からの入力に従って、電話帳９を編集する（ステップＳ１５）。例えば、ユーザは、ステップＳ１３で登録された電話番号について登録名やフリガナをキー入力部４から入力する。すると、ＣＰＵ６は、電話帳９に、入力された登録名やフリガナを電話番号に対応付けて格納する。なお、待ち受け状態において、着呼や発信操作等が生じた場合には、発着信状態に移行する。
【００２５】
次に、時報サービスを利用して時刻合わせをする動作を説明する。図３は、時報サービスの音声を音声認識して時刻合わせをする処理の一例を示す流れ図である。ユーザが、キー入力部４の電源ボタンを押して携帯電話機の電源をオンにして待ち受け状態にすると、ＣＰＵ６は、設定されているアクセス時間になったか否かを判断する（ステップＳ２１）。アクセス時間が設定されていない場合、またはアクセス時間が設定されているがアクセス時間でない場合には、ステップＳ２２に移行する。ステップＳ２２において、ＣＰＵ６は、ユーザが、時刻合わせをするためにキー入力部４を操作したことを認識すると、キー入力部４からの入力に従って、時計７の時刻を合わせる（ステップＳ２２）。すると、時刻合わせ後の時計７からの時刻信号にもとづいて、表示部８に時刻が表示される。
【００２６】
ＣＰＵ６は、更に時報サービスを利用して自動時刻調整をするか否かの指示画面を表示部８に表示させる。ユーザは、更に自動時刻調整をする場合には、キー入力部４から自動時刻調整をする旨の指示を入力する。
【００２７】
ＣＰＵ６は、キー入力部４から自動時刻調整をする旨の指示が入力されたか否かを判断する（ステップＳ２３）。自動時刻調整をする旨の指示が入力されたと判断した場合には、ＣＰＵ６は、記憶部から時報サービスセンタの番号（１１７番）を読み出して、時報サービスセンタに発呼する（ステップＳ２４）。
【００２８】
時報サービスセンタに接続されると、時報サービスセンタから時報サービスの提供が開始される。時報サービスセンタに接続されている間、変調／復調回路部５は、無線部２からの受信信号を復調した音声信号をＣＰＵ６に出力する。ＣＰＵ６は、変調／復調回路部５からの音声信号を音声認識し、時報サービスセンタが報じる時刻を示す時報情報を認識する（ステップＳ２５）。例えば、ＣＰＵ６は、午前８時の直前に午前８時の時刻を報じる旨の音声信号を音声認識して、「午前８時」という時報情報を認識する。
【００２９】
例えば、携帯電話機の記憶部は、数字、および「午前」，「午後」，「時」，「分」，「秒」など時刻表記に用いられる単語を含む単語辞書を予め記憶している。ＣＰＵ６は、記憶部が記憶する単語辞書に含まれる数字および単語を用いて音声認識をすることによって、時報情報を認識する。
【００３０】
ＣＰＵ６は、ステップＳ２５で認識した時報情報を用いて時計７の時刻を合わせる（ステップＳ２６）。例えば、ＣＰＵ６は、午前８時を報ずる時報音を認識したタイミングで、ステップＳ２５で認識した「午前８時」に時計７の時刻を合わせる。そして、時刻合わせ後の時計７からの時刻信号にもとづいて、表示部８に時刻が表示される。
【００３１】
ＣＰＵ６は、アクセス時間の設定画面を表示部８に表示させる。アクセス時間とは、時報サービスセンタにアクセスして時刻合わせをする時間である。ユーザは、キー入力部４からアクセス時間を入力する。すると、ＣＰＵ６は、キー入力部４からの入力に従って、アクセス時間を設定する（ステップＳ２７）。例えば、毎朝８時に自動的に時刻合わせをさせたい場合には、ユーザは、キー入力部４から「ＡＭ  ８：００」と入力する。すると、ＣＰＵ６は、アクセス時間を「午前８時」に設定する。なお、アクセス時間の設定の仕方は本実施の形態で示した例に限られない。例えば、毎週１回または毎月１回自動的に時刻合わせをするようにアクセス時間を設定してもよい。また、ステップＳ２１からステップＳ２４に移行した場合には、ステップＳ２７の処理は実行されない。
【００３２】
なお、ステップＳ２３を介するステップＳ２４以下の処理を２回目以降に実行する場合には、ステップＳ２７において、ＣＰＵ６は、アクセス時間を変更するか否かの指示画面を表示部８に表示させる。ユーザは、アクセス時間を変更したい場合には、キー入力部４から変更後のアクセス時間を入力する。すると、ＣＰＵ６は、キー入力部４からの入力に従ってアクセス時間を変更し、変更後のアクセス時間に従って時報サービスセンタに自動接続して時計７の時刻を合わせる。ユーザによってアクセス時間を変更しない旨が入力された場合には、ＣＰＵ６は、アクセス時間を変更しない。また、待ち受け状態において、着呼や発信操作等が生じた場合には、発着信状態に移行する。
【００３３】
以上のように、本実施の形態によれば、携帯電話機は、電話番号案内センタから受信した音声信号を音声認識して電話番号を自動認識し、案内された電話番号を電話帳９に自動登録する。電話番号が電話帳９に自動登録されるので、電話番号案内サービスを利用して電話帳に電話番号登録する際のユーザの手間を軽減することができる。
【００３４】
また、本実施の形態によれば、携帯電話機は、時報サービスセンタから受信した音声信号を音声認識して時報情報を自動認識し、自動的に時計７の時刻合わせをする。自動的に時刻合わせができるので、時報サービスを利用して時刻合わせする際のユーザの手間を軽減することができる。また、アクセス時間を設定すれば定期的に時報サービスセンタに自動接続して時刻合わせをするので、正確な時間表示を維持することができる。
【産業上の利用可能性】
【００３５】
本発明は、電話帳を有する携帯電話機に適用できる。本発明を適用することによって、電話帳登録の際のユーザの手間を軽減できる。また、本発明は、時計を備えた携帯電話機に適用できる。本発明を適用することによって、時刻合わせの際のユーザの手間を軽減でき、正確な時間表示を維持することができる。
【図面の簡単な説明】
【００３６】
【図１】本発明による携帯電話機の構成の一例を示すブロック図である。
【図２】電話番号案内サービスの音声を音声認識して電話帳登録する処理の一例を示す流れ図である。
【図３】時報サービスの音声を音声認識して時刻合わせをする処理の一例を示す流れ図である。
【符号の説明】
【００３７】
１  アンテナ部
２  無線部
３  制御回路部
４  キー入力部
５  変調／復調回路部
６  ＣＰＵ
７  時計
８  表示部
９  電話帳
【図１】
2005236727.tif 000003
【図２】
2005236727.tif 000004
【図３】
2005236727.tif 000005